(57)【特許請求の範囲】
【請求項１】
機能性材料が付着した１０ｎｍ以上１００００ｎｍ以下の厚みを有する薄膜を、被着体に転写する転写装置であって、
回転機能を持たせるための複数のローラと、
前記複数のローラ上に設置されたエンドレスベルトと、を備え、
前記エンドレスベルト上において、前記薄膜の機能性材料が付着した面を前記エンドレスベルトと接する状態で保持し、
前記薄膜の機能性材料が付着した面と反対の面を前記被着体に接するように、前記薄膜を前記被着体に転写する転写装置。
【請求項２】
前記薄膜は、機能性材料を薄膜上に印刷した薄膜印刷体であり、
前記薄膜印刷体は、薄膜印刷体用の印刷装置から前記エンドレスベルト上に転載したものである、請求項１に記載の転写装置。
【請求項３】
ユーザーが把持するための把持部を、さらに備える、請求項１または２に記載の転写装置。
【請求項４】
前記エンドレスベルトが前記被着体に接している状態で、前記把持部を操作してエンドレスベルトを移動させることにより、前記薄膜印刷体を前記被着体に転写する請求項３に記載の転写装置。
【請求項５】
前記エンドレスベルトと前記薄膜の間の界面の密着力Ａと、前記薄膜と被着体との間の密着力Ｂとは、Ａ＜Ｂの関係である、請求項１から４のいずれか１項に記載の転写装置。
【請求項６】
前記薄膜に印刷された位置決めマーク等を検知し、被着体上の対応箇所へ自動的に前記薄膜を転写する、請求項１から５のいずれか１項に記載の転写装置。
【請求項７】
請求項１から６のいずれか１項に記載の転写装置を脱着可能に組み込める薄膜印刷体を生成する印刷装置であって、前記薄膜印刷体を、前記印刷装置から前記転写装置に転載する転載部を備える印刷装置。
【請求項８】
前記転写装置のエンドレスベルトを洗浄するエンドレスベルト再生部を、さらに備える、請求項７に記載の印刷装置。
【請求項９】
前記薄膜または前記薄膜印刷体を所望の形状にカットするカット部を、さらに備える、請求項７または８に記載の印刷装置。
【発明の詳細な説明】
【技術分野】
【０００１】
本発明は、美容や医療等の分野で用いられる化粧剤等の機能性材料が付着した薄膜を、人体等の被着体に転写する転写装置、および機能性材料を薄膜上に印刷した薄膜印刷体を生成する印刷装置に関する。
【背景技術】
【０００２】
近年、顔のメイクアップの仕方（以下、単に「メイク」という）の多様化が進んでいる。それにともない、無数の選択肢の中から適切なメイクを選択することは、特にメイクについての十分な知識を有さない人にとって、困難となってきている。あらゆるメイクを実際に試して判断および比較を行うことは、膨大な時間および手間を要するからである。【０００３】
そこで、メイクアップが行われたときの顔のシミュレーション画像を生成して提示する技術が、例えば、特許文献１および特許文献２に記載されている。これらに開示された技術（以下「従来技術」という）は、メイクアップの対象となる顔を撮影した画像を取得する。従来技術は、取得した画像に対して、口紅やチーク（頬紅）等を顔に施したときのメイクの状態を示す画像を重畳して、シミュレーション画像を生成する。そして、これらの従来技術においては、生成したシミュレーション画像を、表示装置に表示させる。【０００４】
これらの表示画像にもとづき、ユーザーは、実際にメイクアップを行って比較検討することなくメイクの良し悪しを判断することができ、より少ない時間および手間で適切なメイクを選択することが可能となる。【０００５】
しかしながら、そのようなシミュレーション画像により、自分にふさわしいメイクの提案を受けたとしても、実際に、そのようなメイクを自分自身に施すためには、特定の化粧剤や化粧道具、そしてある程度以上のメイク技術やメイク時間が必要となる。【０００６】
それによって、ユーザーによっては、提案を受けたメイクを自ら施すことが困難であったり、わざわざプロの美容師等にその実施を依頼しなければならない。【０００７】
そこで、例えば、プロのメイクを模した化粧剤等の機能性材料を付着した薄膜を提供して、ユーザーが自分でそれを必要な箇所に貼付することができれば、自分で一からメイクアップを行わなくても、プロのメイクを完了することができる。【０００８】
ところが、そのような薄膜は、厚さが極薄となり取り扱いに慎重さが求められることから、ユーザーが自分で肌等に容易に貼り付けることはできない。【０００９】
そこで、本発明は、美容や医療等の分野で用いられる化粧剤等の機能性材料が付着した薄膜を、薄膜自体を損傷することなく、人体等の被着体に簡便に転写する転写装置を提供する。
【先行技術文献】
【特許文献】
【００１０】
【特許文献１】特開２００１−３４６６２７号公報
【特許文献２】特開２００３−４４８３７号公報
【発明の概要】
【００１１】
本発明は、機能性材料が付着した薄膜を、被着体に転写する転写装置であって、回転機能を持たせるための複数のローラと、複数のローラ上に設置されたエンドレスベルトを備え、エンドレスベルト上において、薄膜の機能性材料が付着した面をエンドレスベルトと接する状態で保持し、薄膜の機能性材料が付着した面と反対の面を被着体に接するように、薄膜を被着体に転写する転写装置である。
【００１２】
かかる構成によって、厚さが極薄で、取り扱いに慎重さが求められる機能性材料が付着した薄膜を、損傷することなく、人体等の被着体に簡便に転写することができる。
【図面の簡単な説明】
【００１３】
【図１】図１は、本発明の実施の形態１における印刷装置の外観を示す図である。
【図２】図２は、本発明の実施の形態１における印刷装置の内部構造を示す図である。
【図３】図３は、薄膜印刷体の印刷装置の構成を示す図である。
【図４】図４は、本発明の実施の形態１における転写装置の構成を示す図である。
【図５Ａ】図５Ａは、本発明の実施の形態１における印刷装置および転写装置の動作を示す図である。
【図５Ｂ】図５Ｂは、本発明の実施の形態１における印刷装置および転写装置の動作を示す図である。
【図５Ｃ】図５Ｃは、本発明の実施の形態１における印刷装置および転写装置の動作を示す図である。
【図５Ｄ】図５Ｄは、本発明の実施の形態１における印刷装置および転写装置の動作を示す図である。
【図５Ｅ】図５Ｅは、本発明の実施の形態１における印刷装置および転写装置の動作を示す図である。
【発明を実施するための形態】
【００１４】
（発明の基礎となった知見）
本発明は、美容や医療等の分野で用いられる化粧剤等の機能性材料が付着した薄膜を、薄膜自体を損傷することなく、人体等の被着体に簡便に転写する転写装置を提供するものである。
【００１５】
それによって、例えば、メイクについての十分な知識や技術を有さない人や、メイクに時間を取れない人にとっても、独力で、簡単、迅速かつ安全にメイクを施すことができる。
【００１６】
しかしながら、薄膜は、皮膚に貼ってあることを感じさせないほど薄い膜で、ナノメーターのオーダーの薄さ（薄膜の材料や厚さについては後述する。）のため、取り扱いには最大限の注意が必要である。
【００１７】
そのため、転写時にも、人の手を介さず、印刷装置から直接人体に転写できることが望ましい。一旦、手に取ってから人体の所定の場所に貼り付けると、薄膜印刷体自体が劣化したり、貼り損じを生じる恐れがあるからである。
【００１８】
すなわち、本発明においては、以上の課題に鑑み、薄膜印刷体の印刷装置から出力された、デリケートでかつ転写面の方向性のある薄膜印刷体の人体への転写を、容易かつ確実に行うための転写装置を創作するに至ったものである。
【００１９】
以下、本発明の実施の形態について、図面を用いて詳細に説明する。
【００２０】
（実施の形態１）
図１は、本発明の実施の形態１における印刷装置の外観を示す図である。印刷装置１００は、メイク情報端末１４０に接続され、メイク情報を受け取ることができる。このとき、メイク情報端末１４０は、ユーザーに関するメイク情報を入力できる入力部や、ユーザー自身を撮影できるカメラを備えていてもよい。また、外部からメイク情報を得るためにネットワークに接続されていてもよい。
【００２１】
図２は、本発明の実施の形態１における印刷装置の内部構造を示す図である。薄膜シート送り込み部から送り込まれた薄膜シート１１０が、薄膜印刷体１６０となって、転載部１０５に送り出されるまでを、模式的に記載したものである。
【００２２】
ここでは、図４を用いて、本発明の実施の形態１にかかる転写装置２００の構成を説明する。図４は、本発明の実施の形態１にかかる転写装置２００の構成を示す図である。
【００２３】
転写装置２００は、エンドレスベルト２０１、ローラ２０２、把持部２０３から構成される。把持部は、手に持つ部分として構成されたり、ローラの端部を持つことも意味する。
【００２４】
エンドレスベルト２０１上には、薄膜１２０に機能性材料１７０が印刷された薄膜印刷体１６０が保持されており、この薄膜１２０部分を人体に密着させることにより、薄膜印刷体１６０を肌に転写させる。
【００２５】
なお、エンドレスベルト２０１の表面には、例えば、親水性を高める表面処理を行ったり、凹凸模様を有したり、温度応答性高分子を使用してもよい。また、電場等をかけて正負どちらか一方の濃度を高めたりしてもよい。
【００２６】
また、エンドレスベルト２０１には、通常、２つのローラ２０２によって、適切なテンションがかけられており、それによって肌へ押し当てたときの密着性を向上させている。ユーザーは、把持部２０３を持って、人体の所望の場所に、転写装置２００を押し当て印刷内容に沿った正しい方向に移動させれば、機能性材料１７０等を印刷された薄膜印刷体１６０を、エンドレスベルト２０１から肌の上に転写させることができる。
【００２７】
かかる転写装置２００は、通常、薄膜印刷体を作成する印刷装置１００に組み込まれており、印刷装置１００から、薄膜１２０上に機能性材料１７０等を印刷された薄膜印刷体１６０を、転写装置２００のエンドレスベルト２０１上に転載させることができるように構成されている。
【００２８】
そこで次に、印刷装置１００について、図３を用いて説明する。図３は、薄膜印刷体１６０の印刷装置の構成を示す図である。
【００２９】
印刷装置１００は、薄膜シート送り込み部１０１、湿潤部１０２、制御部１０３、印刷部１０４、転載部１０５を備える。
【００３０】
薄膜シート送り込み部１０１は、印刷装置１００の外部から、薄膜シート１１０を印刷装置１００の内部に送り込むローラと駆動機構で構成される。
【００３１】
ここで、薄膜シート１１０は、機能性材料１７０等を印刷する基盤となる薄膜１２０を、あらかじめ第１の支持体１３０に搭載したものであり、例えば、シール状やロール状の形態で提供される。
【００３２】
なお、かかる薄膜シート１１０において、薄膜１２０と第１の支持体１３０との間の界面（Ｃ）は、例えば、静電気、化学吸着、物理吸着等により保持されている。また、薄膜シート１１０の第１の支持体１３０の表面は、例えば、親水性基を有する。
【００３３】
薄膜シート送り込み部１０１は、薄膜シート１１０上の薄膜１２０を傷つけないように、ローラを回転させながら、薄膜シート１１０を巻き込み印刷装置１００の内部に送り込む。
【００３４】
そして、薄膜シート１１０における薄膜１２０は、化粧剤や医療材料等の機能性材料１７０を印刷させ、その後人体に貼着するために、ふさわしい特性を持ったものであることが求められる。すなわち、薄膜自体が、人体に対して、刺激や有害性等の健康上の悪影響のない、生体に適合した安全な材料であることが望ましい。
【００３５】
さらに、薄膜１２０上の機能性材料１７０等が印刷される側の面は、機能性材料１７０等を良好に定着させるとともに、機能性材料１７０等の成分を、反対側の人体に貼着させる面に透過させないことが望ましい。これによって、機能性材料の人体へのダメージを極力小さくすることができる。
【００３６】
また、薄膜１２０上の人体に貼着させる面は、接着剤等の別の材料を必要としないでそれだけで肌に密着することができる付着性を有している。これによって、接着剤等による人体への害を防止できるとともに、薄膜１２０への接着層の付加工程をなくすことができ、薄膜印刷体１６０の製造を容易にすることができる。
【００３７】
かかる薄膜１２０は、印刷された化粧剤等の機能性材料１７０を担持するため、薄膜１２０と機能性材料１７０からなる薄膜印刷体１６０が、肌に押し付けられることにより、肌に転写されるようになっている。
【００３８】
ちなみに、このような薄膜には、例えば、生体適合性を有する高分子のナノシートを基盤としたナノ薄膜等を利用することができる。
【００３９】
湿潤部１０２は、薄膜シート１１０を湿潤させる機構を有する。例えば、水蒸気や水溶性液体を吹き付けたり、水または水溶性液体に浸水させることで、薄膜１２０の柔軟性を向上させるとともに、第１の支持体１３０と薄膜１２０の界面（Ｃ）の密着力を低下させることができる。
【００４０】
さらに、湿潤部１０２は、例えば、恒湿に保たれた湿潤部１０２であって、薄膜１２０をその恒湿環境下に曝すことで湿潤させる。また、水や水溶性液体を含んだ基材を薄膜１２０に接触させることで湿潤させる。
【００４１】
なお、湿潤部１０２は、印刷部１０４における印刷前または印刷後、あるいは、印刷前と印刷後両方に設けられてもよいが、湿潤部１０２を備えなくとも、本実施の形態の効果を得ることは可能である。
【００４２】
制御部１０３は、薄膜１２０上に、機能性材料１７０等をどのような印刷として施すべきかについての印刷情報を生成するためのもので、外部の例えばメイク情報端末１４０との通信部と、信号処理部、記憶部等とを備える。生成された印刷情報は、印刷部１０４に対し、印刷信号（ヘッドの印刷動作のための制御信号）として発信される。
【００４３】
制御部１０３が通信を行うメイク情報端末からは、印刷情報を生成する元となるメイク情報が提供される。かかるメイク情報とは、例えば、メイクアップの支援を受けたいユーザーに対して提案されたメイク内容を示す情報であり、例えば、メイク情報端末におけるアプリケーションや、メイク情報端末が接続されたサーバーからのクラウド的なサービスとして提供される。
【００４４】
印刷部１０４は、制御部１０３からの印刷信号にもとづき、薄膜シート１１０の薄膜１２０上に、機能性材料１７０の印刷を施すヘッド機構を有する。かかる印刷部１０４においては、既知の印刷方式が採用され、例えば、バブルジェット（登録商標）方式や熱昇華方式など、薄膜１２０上に機能性材料１７０等を良好に印刷することができれば、印刷方式は限定されない。
【００４５】
転載部１０５は、転写装置２００が印刷装置１００に組み込まれたときにのみ、転載部として構成されて機能する。
【００４６】
転載部１０５は、印刷部１０４により機能性材料１７０が印刷された薄膜印刷体１６０を、第１の支持体１３０から転写装置２００のエンドレスベルト２０１に、薄膜印刷体１６０を傷付けることなく転載させるものであり、例えば、ローラと駆動機構から構成される。
【００４７】
ここで、印刷装置１００には、エンドレスベルト再生部１０６を備えてもよい。
【００４８】
エンドレスベルト再生部１０６は、転写装置２００が印刷装置１００に組み込まれている際に、エンドレスベルト２０１の洗浄を自動で行えるものであり、例えば、エンドレスベルト２０１に水蒸気を吹き付ける等により、機能性材料１７０の残渣等を取り除き、エンドレスベルト２０１の転写性能を再生させる。
【００４９】
さらに、印刷装置１００には、転載部１０５の前に、薄膜１２０または薄膜印刷体１６０を所望の形状にカットするためのカット部（図示せず）を備えてもよい。例えば、ルージュやアイシャドウなどの局部メイクのための薄膜印刷体１６０を、そのメイク箇所への転写に便利な形状に加工することで、より簡便なメイクを支援することができる。
【００５０】
以上の構成により、印刷装置１００から転載された薄膜印刷体１６０を、転写装置２００によって人体に貼り付ければ、メイク情報にもとづいて印刷された機能性材料１７０が、肌の上に容易に貼着され、あたかもメイクを施したかのような視覚効果を生み、これによって、メイクについての十分な知識や技術を有さない人や、メイクに時間を取れない人にとっても、簡単、迅速かつ安全にメイクを施すことができる。
【００５１】
次に、本発明の実施の形態１にかかる転写装置２００および印刷装置１００の動作について、図３、図４および図５Ａ〜図５Ｅを用いて説明する。図５Ａ〜図５Ｅは、印刷装置および転写装置の動作を示す図である。
【００５２】
まず、薄膜シート１１０が、薄膜シート送り込み部１０１により、印刷装置１００の外部から印刷装置１００の内部に供給される。
【００５３】
次に、薄膜１２０と第１の支持体１３０とで構成された薄膜シート１１０は、印刷部１０４に送られる。ここで、印刷部１０４は、制御部１０３によって生成された印刷情報によって、外部からのメイク情報の内容に対応する機能性材料１７０を薄膜１２０に印刷する。
【００５４】
このとき、制御部１０３は、印刷装置１００の外部の、例えば、メイク情報端末１４０と通信を行い、メイク情報を入手し、かかるメイクを実施するためにどのような印刷を薄膜１２０に施すべきかの印刷情報を生成し、印刷部１０４に対し、制御信号として送信する。
【００５５】
印刷部１０４は、かかる制御信号にもとづき、ヘッドを駆動し、薄膜１２０への機能性材料１７０の印刷を行う。
【００５６】
この結果、薄膜１２０に機能性材料１７０が積層された薄膜印刷体１６０が形成されるのである。
【００５７】
ここで、機能性材料１７０は、女性のメイクアップのための化粧剤だけでなく、医療やその他の分野において、求められる機能を発揮し得るあらゆる材料を選択することができる。
【００５８】
また、薄膜１２０の厚みは、１０ｎｍ以上１００００ｎｍ以下（１０ｎｍ以上１０μｍ以下）が好ましい。その中でも、特に、１０ｎｍ以上５００ｎｍ以下が好ましい。これは、皮膚への密着性が、試験の結果、５００ｎｍ以下で良好であったためである。
【００５９】
さらに、生体適合性を有する薄膜１２０の材料は、特に限定されない任意の薄膜を用いることができる。ここで、薄膜の材料としては、例えば、ポリグリコール酸、ポリ乳酸、ポリカプロラクトン、ポリエチレンサクシネート、ポリエチレンテレフタレートまたはこれらの共重合体に代表されるポリエステル類、ポリエチレングリコール、ポリプロピレングリコールに代表されるポリエーテル類、ナイロン、ポリグルタミン酸、ポリアスパラギン酸またはこれらの塩に代表されるポリアミド類、プルラン、セルロース、デンプン、キチン、キトサン、アルギン酸、ヒアルロン酸、コーンスターチに代表される多糖類またはこれらの塩、アクリルシリコーン、トリメチルシロキシケイ酸に代表されるシリコーン類、アクリル酸アルキル、アクリル酸シリコーン、アクリル酸アミドやこれらの共重合体に代表されるアクリル酸類、またはポリビニルアルコール、ポリウレタン、ポリカーボネート、ポリ酸無水物、ポリエチレン、ポリプロピレンが挙げることができる。
【００６０】
ここで、メイク情報とは、広く、美容や医療用途など、肌の上に貼着する薄膜１２０上に何らかの機能成分を担持した材料を印刷するための情報を意味しており、本実施例は、その一例としての化粧（メイク）を開示しているにすぎない。
【００６１】
例えば、美容の用途を考えれば、顔の一部や全部のメイクアップのための情報であり、一部のシミ等を隠すメイクから、本格的な顔全体のメイクまで広く意味する。しかしながら、医療用等、他の分野の用途を考えれば、顔以外の部位に用いられてもかまわない。
【００６２】
メイク情報は、さらに、メイク情報端末１４０に搭載されたアプリケーションや、ネットを経由したサーバーからのクラウドサービスとして、ユーザー個々人に最適化されたメイクを、分析して提供されたり、流行や特定の有名人のメイク等を施すための情報として提供されてもよい。
【００６３】
また、医療の用途を考えれば、アザや火傷等の傷跡を隠すような用途や、薬効成分を印刷して患部へ絆創膏のように利用する用途なども考えられる。
【００６４】
すなわち、利用分野にかかわらず、用途に応じた機能性成分を担持させることにより、広く必要とされる利用機能を、適宜追加できるものである。
【００６５】
このとき、医療成分や美容成分が薄膜内部を透過することにより、医療や美容上の効果が得られる使い方をしても良いし、他方、化粧剤等の機能性材料が薄膜内部を透過しないような使い方をしても良い。すなわち、担持（印刷）させた機能性成分の用途によって、様々な実施態様を選択することが可能である。
【００６６】
その他にも、スポーツの応援や、テーマパークで顔に貼り付けるシールなども、自分で任意にデザインして印刷することなども可能である。
【００６７】
さらに、メイク情報端末１４０によって、ユーザーの顔等を撮影した画像情報から、その個々人の美容情報を分析し、機能性材料１７０の印刷内容をカスタマイズし、例えば、その人の肌色に合わすような肌色補正機能を有することも可能である。
【００６８】
また、個人の顔情報を読み込んで、必要なところのみに有効成分（例えば、保湿剤、日焼け防止剤、美白剤等）を印刷することも可能である。
【００６９】
あわせて、ユーザーの顔の特徴点を抽出すれば、機能性材料１７０の印刷とともに、貼着時にユーザーの助けとなる、位置決めシンボルや移動方向を示す矢印等などを同時に印刷することもでき、さらに簡便なメイクを支援することができる。
【００７０】
そして、印刷部１０４において、機能性材料１７０を印刷された薄膜シート１１０は、転載部１０５に送られる前に、湿潤部１０２によって、湿潤される。かかる湿潤が行われることにより、薄膜１２０の柔らかさが向上し、あわせて第１の支持体１３０と薄膜１２０の間の界面（Ｃ）の密着力が低下させられる。
【００７１】
この湿潤部１０２があることで、後の転載部１０５における、第１の支持体１３０からエンドレスベルト２０１への薄膜印刷体１６０の転載が、より容易かつ確実に行われることになるのである。
【００７２】
そして、湿潤された、印刷された機能性材料１７０を印刷された薄膜シート１１０は、転載部１０５に送られる。ここで、あらかじめ印刷装置１００に装着された転写装置２００のエンドレスベルト２０１上に薄膜印刷体１６０のみが転載される。
【００７３】
このとき、転載部１０５では、第１の支持体１３０上の薄膜印刷体１６０の機能性材料１７０側に、転写装置２００のエンドレスベルト２０１が密着させられる。
【００７４】
ここで、第１の支持体１３０と薄膜１２０の間の界面（Ｃ）における密着力と、メイク情報が印刷された薄膜１２０の表面とエンドレスベルト２０１の間の界面（Ａ）における密着力とでは、あらかじめ前者の密着力の方が、後者の密着力よりも小さくなるように（Ｃ＜Ａ）設定されている。そのため、薄膜印刷体１６０は、薄膜１２０側において第１の支持体１３０を離れ、機能性材料１７０側において転写装置２００のエンドレスベルト２０１に密着し、この結果、薄膜印刷体１６０が第１の支持体１３０からエンドレスベルト２０１に良好に転載する。
【００７５】
ユーザーは、印刷装置１００によって薄膜上に機能性材料１７０等を印刷された薄膜印刷体１６０を、転写装置２００のエンドレスベルト上に転載されるのを待って、転写装置２００を印刷装置１００から取り外す。
【００７６】
そして、転写装置２００の把持部２０３を持って、人体上の所望の場所に、転写装置２００を押し当てて、印刷内容に沿った正しい方向にゆっくり移動させる。
【００７７】
すると、転写装置２００内の回転ロールが回転し、エンドレスベルトの巻き面が移動し、メイク情報が印刷された薄膜印刷体１６０を、エンドレスベルト２０１から、人体の上に転写することができるのである。
【００７８】
そしてこのとき、薄膜印刷体１６０に、位置決めマークや移動方向を示す矢印等も印刷されていれば、ユーザーは、それをもとに転写装置を操作すればよく、さらに、簡便なメイクを支援することができる。
【００７９】
また、転写装置２００には、人体の形状等を検知するセンサーを搭載して、かかる位置決めマークが、人体上の対応箇所に自動的に位置決めされるようにした自動転写装置としてもよい。さらに、メイク情報端末１４０が転写装置２００の位置を認識して、転写装置２００の肌への転写位置を先導（ナビゲート）することにより、人体上の適切な位置への転写を達成するものでもよい。また、転写装置２００に位置情報を提供する送信部を備えることで、メイク情報端末１４０と連動して、さらに適切な位置に転写装置２００を先導するものでもよい。
【００８０】
このとき、エンドレスベルトは、２つのローラ２０２により、適度な広さで適度なテンションがかけられているので、人体上の凹凸のある面においても、密着性をもって良好に薄膜印刷体１６０を転写することができる。
【００８１】
転写装置における転載の動作について、図４を用いて説明する。
【００８２】
転写装置２００は、印刷装置１００から取り外された後、ユーザーによって、人体の所望の場所に押し当てられる。
【００８３】
このとき、エンドレスベルト２０１と、薄膜印刷体１６０の機能性材料１７０が印刷された面との間の界面（Ａ）における密着力Ａと、人体（肌）と薄膜１２０との間の界面（Ｂ）における密着力Ｂとは、あらかじめＡ＜Ｂの関係になるように設定されている。そのため、薄膜印刷体１６０は、機能性材料１７０側において転写装置２００エンドレスベルト２０１を離れ、薄膜１２０側において肌に密着し、この結果、薄膜印刷体１６０がエンドレスベルト２０１から肌に良好に転写する。密着力の大小関係は、レオメーターやボンドテスターなどの装置を用いた定量評価であったり、薄膜印刷体を基材や肌に貼りあわせたときの薄膜印刷体の転写される割合を目視判定することで評価できる。
【００８４】
こうして、機能性材料１７０を印刷された薄膜１２０である薄膜印刷体１６０が、転写装置により肌に転写され、メイクが完了する。
【００８５】
以上の構成により、転写装置２００を印刷装置１００から取り外し、人体上の所望の場所に、転写装置２００を押し当てて移動させれば、機能性材料１７０等を印刷された薄膜印刷体１６０を、容易に転写することができる。
【００８６】
本実施の形態によって、薄膜印刷体１６０における機能性材料１７０の印刷面は、肌に転写する側の面とは、必ず反対側になるため、印刷剤による生体への影響への配慮が一切不要となる。
【００８７】
すなわち、生体適合性のある薄膜側のみが人体に転写されるため、例えば、化粧剤に対し、肌の弱いユーザーにとっても、化粧剤に限定されない自由なメイクが容易に実施できる。
【００８８】
なお、本発明は、上述した実施の形態に限定されるものでなく、本発明の意図する範囲において、適宜変形等することが可能なことはいうまでもない。
【００８９】
本発明の構成により、美容や医療等の分野で用いられる化粧剤等の機能性材料が付着した、厚さが極薄で、取り扱いに慎重さが求められる薄膜を、薄膜自体を損傷することなく、人体等の被着体に簡便に転写することができる。
【００９０】
それによって、特にメイクについての十分な知識や技術を有さない人や、メイクに時間を取れない人にとっても、独力で、簡単かつ迅速に、美しくて安全なメイクを施すことができる。
【産業上の利用可能性】
【００９１】
本発明にかかる印刷装置は、美容用途だけでなく、医療分野においても、薄膜に利用目的に沿った成分を担持（印刷）させることで、生体に適合した機能性薄膜を、容易に生成することができる。
【符号の説明】
【００９２】
１００    印刷装置
１０１    薄膜シート送り込み部
１０２    湿潤部
１０３    制御部
１０４    印刷部
１０５    転載部
１０６    エンドレスベルト再生部
１１０    薄膜シート
１２０    薄膜
１３０    第１の支持体
１４０    メイク情報端末
１６０    薄膜印刷体
１７０    機能性材料
２００    転写装置
２０１    エンドレスベルト
２０２    ローラ
２０３    把持部
【図１】
0005768222.tif 000002
【図２】
0005768222.tif 000003
【図３】
0005768222.tif 000004
【図４】
0005768222.tif 000005
【図５Ａ】
0005768222.tif 000006
【図５Ｂ】
0005768222.tif 000007
【図５Ｃ】
0005768222.tif 000008
【図５Ｄ】
0005768222.tif 000009
【図５Ｅ】
0005768222.tif 000010